【手続補正書】
【提出日】平成16年4月22日(2004.4.22)
【手続補正１】
【補正対象書類名】明細書
【補正対象項目名】発明の名称
【補正方法】変更
【補正の内容】
【発明の名称】キーワードの自動抽出装置及び方法、記録媒体、並びにプログラム
【手続補正２】
【補正対象書類名】明細書
【補正対象項目名】特許請求の範囲
【補正方法】変更
【補正の内容】
【特許請求の範囲】
【請求項１】
コンテンツのタイトル文字列情報から、サブジャンルを示す文字列が登録されている第１のキーワード辞書を用いてキーワードの抽出を行う第１の抽出手段と、
前記コンテンツの詳細文字列情報から、人名が登録されている第２のキーワード辞書を用いたキーワードの抽出と、字種切り法を利用したキーワードの抽出とを行う第２の抽出手段と
を備えたことを特徴とするキーワード自動抽出装置。
【請求項２】
請求項１に記載のキーワード自動抽出装置において、
前記第１の抽出手段は、第１のキーワード辞書に登録されている文字列を含むタイトル文字列のうち、所定の除外文字列辞書に登録されている文字列を除外した部分からキーワードを抽出することを特徴とするキーワード自動抽出装置。
【請求項３】
請求項１に記載のキーワード自動抽出装置において、
前記第１の抽出手段は、第１のキーワード辞書に登録されている文字列を含むタイトル文字列のうち、平仮名，カタカナ，漢字，数字，アルファベット以外の特殊文字で区切られている文字列をキーワードとして抽出することを特徴とするキーワード自動抽出装置。
【請求項４】
請求項１に記載のキーワード自動抽出装置において、
前記第２の抽出手段は、前記第２のキーワード辞書を用いてキーワードを抽出した前記詳細文字列情報の残りの部分のうち、所定の除外文字列辞書に登録されている文字列を除外した部分から、字種切り法を利用したキーワードの抽出を行うことを特徴とするキーワード自動抽出装置。
【請求項５】
請求項１に記載のキーワード自動抽出装置において、
前記第２の抽出手段は、字種切り法を利用しつつ、カタカナとアルファベットとを同一字種として扱うとともに、‘・’（中点）は、その直前の文字がカタカナ，アルファベットである場合にはそれぞれカタカナ，アルファベットとして扱うことを特徴とするキーワード自動抽出装置。
【請求項６】
請求項１に記載のキーワード自動抽出装置において、
前記第２のキーワード辞書をネットワーク経由でダウンロードする手段
をさらに備え、前記第２の抽出手段は前記ダウンロードされた第２のキーワード辞書を用いることを特徴とするキーワード自動抽出装置。
【請求項７】
コンテンツのタイトル文字列情報から、サブジャンルを示す文字列が登録されている第１のキーワード辞書を用いてキーワードの抽出を行う第１のステップと、
前記コンテンツの詳細文字列情報から、人名が登録されている第２のキーワード辞書を用いたキーワードの抽出と、字種切り法を利用したキーワードの抽出とを行う第２のステップと
を有することを特徴とするキーワード自動抽出方法。
【請求項８】
請求項７に記載のキーワード自動抽出方法において、
前記第１のステップで、第１のキーワード辞書に登録されている文字列を含むタイトル文字列のうち、所定の除外文字列辞書に登録されている文字列を除外した部分からキーワードを抽出することを特徴とするキーワード自動抽出方法。
【請求項９】
請求項７に記載のキーワード自動抽出方法において、
前記第１のステップで、第１のキーワード辞書に登録されている文字列を含むタイトル文字列のうち、平仮名，カタカナ，漢字，数字，アルファベット以外の特殊文字で区切られている文字列をキーワードとして抽出することを特徴とするキーワード自動抽出方法。
【請求項１０】
請求項７に記載のキーワード自動抽出方法において、
前記第２のステップで、前記第２のキーワード辞書を用いてキーワードを抽出した前記詳細文字列情報の残りの部分のうち、所定の除外文字列辞書に登録されている文字列を除外した部分から、字種切り法を利用したキーワードの抽出を行うことを特徴とするキーワード自動抽出方法。
【請求項１１】
請求項７に記載のキーワード自動抽出方法において、
前記第２のステップで、字種切り法を利用しつつ、カタカナとアルファベットとを同一字種として扱うとともに、‘・’（中点）は、その直前の文字がカタカナ，アルファベットである場合にはそれぞれカタカナ，アルファベットとして扱うことを特徴とするキーワード自動抽出方法。
【請求項１２】
請求項７に記載のキーワード自動抽出方法において、
前記第２のキーワード辞書をネットワーク経由でダウンロードするステップ
をさらに有し、前記第２のステップでは前記ダウンロードした第２のキーワード辞書を用いることを特徴とするキーワード自動抽出方法。
【請求項１３】
キーワード自動抽出装置のプログラムであって、
コンテンツのタイトル文字列情報から、サブジャンルを示す文字列が登録されている第１のキーワード辞書を用いてキーワードの抽出を行う第１の抽出ステップと、
前記コンテンツの詳細文字列情報から、人名が登録されている第２のキーワード辞書を用いたキーワードの抽出と、字種切り法を利用したキーワードの抽出とを行う第２の抽出ステップと
を含むことを特徴とするコンピュータが読み取り可能なプログラムが記録されている記録媒体。
【請求項１４】
キーワード自動抽出装置を制御するコンピュータに、
コンテンツのタイトル文字列情報から、サブジャンルを示す文字列が登録されている第１のキーワード辞書を用いてキーワードの抽出を行う第１の抽出ステップと、
前記コンテンツの詳細文字列情報から、人名が登録されている第２のキーワード辞書を用いたキーワードの抽出と、字種切り法を利用したキーワードの抽出とを行う第２の抽出ステップと
を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、ＥＰＧ（Ｅｌｅｃｔｒｏｎｉｃ  Ｐｒｏｇｒａｍ  Ｇｕｉｄｅ：電子番組ガイド）情報のようなコンテンツのタイトル文字列情報及び詳細文字列情報から、キーワードを自動的に抽出する装置及び方法、記録媒体、並びにプログラムに関する。


【手続補正４】
【補正対象書類名】明細書
【補正対象項目名】００３０
【補正方法】変更
【補正の内容】
【００３０】
次に、本出願人は、コンテンツのタイトル文字列情報から、サブジャンルを示す文字列が登録されている第１のキーワード辞書を用いてキーワードの抽出を行う第１のステップと、このコンテンツの詳細文字列情報から、人名が登録されている第２のキーワード辞書を用いたキーワードの抽出と、字種切り法を利用したキーワードの抽出とを行う第２のステップとを有するキーワード自動抽出方法を提案する。
また、キーワード自動抽出装置のプログラムであって、コンテンツのタイトル文字列情報から、サブジャンルを示す文字列が登録されている第１のキーワード辞書を用いてキーワードの抽出を行う第１の抽出ステップと、このコンテンツの詳細文字列情報から、人名が登録されている第２のキーワード辞書を用いたキーワードの抽出と、字種切り法を利用したキーワードの抽出とを行う第２の抽出ステップとを含むコンピュータが読み取り可能なプログラムが記録されている記録媒体を提案する。
また、キーワード自動抽出装置を制御するコンピュータに、コンテンツのタイトル文字列情報から、サブジャンルを示す文字列が登録されている第１のキーワード辞書を用いてキーワードの抽出を行う第１の抽出ステップと、このコンテンツの詳細文字列情報から、人名が登録されている第２のキーワード辞書を用いたキーワードの抽出と、字種切り法を利用したキーワードの抽出とを行う第２の抽出ステップとを実行させるプログラムを提案する。
【手続補正５】
【補正対象書類名】明細書
【補正対象項目名】００３１
【補正方法】変更
【補正の内容】
【００３１】
このキーワード自動抽出方法や記録媒体やプログラムによれば、前述の本発明に係るキーワード自動抽出装置について説明したのと全く同様にして、ＣＰＵの処理能力やメモリの容量がさほど大きくない家電製品でも、ＥＰＧ情報のようなコンテンツのタイトル文字列情報及び詳細文字列情報から、ユーザーがコンテンツを検索するためのキーワードを、効率よく且つ精度よく自動的に抽出することができるようになる。